【手続補正書】
【提出日】平成19年4月23日(2007.4.23)
【手続補正１】
【補正対象書類名】明細書
【補正対象項目名】発明の名称
【補正方法】変更
【補正の内容】
【発明の名称】表示装置及び電子機器
【手続補正２】
【補正対象書類名】明細書
【補正対象項目名】特許請求の範囲
【補正方法】変更
【補正の内容】
【特許請求の範囲】
【請求項１】
複数の画素ＴＦＴがマトリクス状に配置された画素部と、
前記複数の画素ＴＦＴを駆動するソースドライバおよびゲートドライバと、
外部から入力されるｍビットデジタルビデオデータを２ｍ−ｎ個のｎビットデジタルビデオデータに変換する処理回路と（ｍ、ｎは共に２以上の正数、ｍ＞ｎ）、
前記ｎビットデジタルビデオデータをアナログビデオデータに変換し、前記ソースドライバへ出力するＤ／Ａ変換回路と、
を有する表示装置であって、
前記処理回路は、前記Ｄ／Ａ変換回路へ前記２ｍ−ｎ個のｎビットデジタルビデオデータをランダムに出力し、
前記ｎビットデジタルビデオデータによって形成されるサブフレームを２ｍ−ｎ個表示することによって１フレームの映像を形成することを特徴とする表示装置。
【請求項２】
複数の画素ＴＦＴがマトリクス状に配置された画素部と、
前記複数の画素ＴＦＴを駆動するソースドライバおよびゲートドライバと、
外部から入力されるｍビットデジタルビデオデータを２ｍ−ｎ個のｎビットデジタルビデオデータに変換する処理回路と（ｍ、ｎは共に２以上の正数、ｍ＞ｎ）、
前記ｎビットデジタルビデオデータをアナログビデオデータに変換し、前記ソースドライバへ出力するＤ／Ａ変換回路と、
を有する表示装置であって、
前記処理回路は、前記Ｄ／Ａ変換回路へ前記２ｍ−ｎ個のｎビットデジタルビデオデータをランダムに出力し、
前記ｎビットデジタルビデオデータによって形成されるサブフレームを２ｍ−ｎ個表示することによって１フレームの映像を形成し、
（２ｍ−（２ｍ−ｎ−１））通りの表示階調を得ることを特徴とする表示装置。
【請求項３】
複数の画素ＴＦＴがマトリクス状に配置された画素部と、
前記複数の画素ＴＦＴを駆動するソースドライバおよびゲートドライバと、
外部から入力されるｍビットデジタルビデオデータを２ｍ−ｎ個のｎビットデジタルビデオデータに変換する処理回路と（ｍ、ｎは共に２以上の正数、ｍ＞ｎ）、
前記ｎビットデジタルビデオデータをアナログビデオデータに変換し、前記ソースドライバへ出力するＤ／Ａ変換回路と、
を有する表示装置であって、
前記２ｍ−ｎ個のｎビットデジタルビデオデータは、複数の出力パターンからランダムに選択されたパターンによって前記Ｄ／Ａ変換回路へ出力され、
前記ｎビットデジタルビデオデータによって形成されるサブフレームを２ｍ−ｎ個表示することによって１フレームの映像を形成することを特徴とする表示装置。
【請求項４】
複数の画素ＴＦＴがマトリクス状に配置された画素部と、
前記複数の画素ＴＦＴを駆動するソースドライバおよびゲートドライバと、
外部から入力されるｍビットデジタルビデオデータを２ｍ−ｎ個のｎビットデジタルビデオデータに変換する処理回路と（ｍ、ｎは共に２以上の正数、ｍ＞ｎ）、
前記ｎビットデジタルビデオデータをアナログビデオデータに変換し、前記ソースドライバへ出力するＤ／Ａ変換回路と、
を有する表示装置であって、
前記２ｍ−ｎ個のｎビットデジタルビデオデータは、複数の出力パターンからランダムに選択されたパターンによって前記Ｄ／Ａ変換回路へ出力され、
前記ｎビットデジタルビデオデータによって形成されるサブフレームを２ｍ−ｎ個表示することによって１フレームの映像を形成し、
（２ｍ−（２ｍ−ｎ−１））通りの表示階調を得ることを特徴とする表示装置。
【請求項５】
複数の画素ＴＦＴがマトリクス状に配置された画素部と、
前記複数の画素ＴＦＴを駆動するソースドライバおよびゲートドライバと、
外部から入力されるアナログビデオデータをｍビットデジタルビデオデータに変換するＡ／Ｄ変換回路と、
前記ｍビットデジタルビデオデータを２ｍ−ｎ個のｎビットデジタルビデオデータに変換する処理回路と（ｍ、ｎは共に２以上の正数、ｍ＞ｎ）、
前記ｎビットデジタルビデオデータをアナログビデオデータに変換し、前記ソースドライバへ出力するＤ／Ａ変換回路と、
を有する表示装置であって、
前記処理回路は、前記Ｄ／Ａ変換回路へ前記２ｍ−ｎ個のｎビットデジタルビデオデータをランダムに出力し、
前記ｎビットデジタルビデオデータによって形成されるサブフレームを２ｍ−ｎ個表示することによって１フレームの映像を形成することを特徴とする表示装置。
【請求項６】
複数の画素ＴＦＴがマトリクス状に配置された画素部と、
前記複数の画素ＴＦＴを駆動するソースドライバおよびゲートドライバと、
外部から入力されるアナログビデオデータをｍビットデジタルビデオデータに変換するＡ／Ｄ変換回路と、
前記ｍビットデジタルビデオデータを２ｍ−ｎ個のｎビットデジタルビデオデータに変換する処理回路と（ｍ、ｎは共に２以上の正数、ｍ＞ｎ）、
前記ｎビットデジタルビデオデータをアナログビデオデータに変換し、前記ソースドライバへ出力するＤ／Ａ変換回路と、
を有する表示装置であって、
前記処理回路は、前記Ｄ／Ａ変換回路へ前記２ｍ−ｎ個のｎビットデジタルビデオデータをランダムに出力し、
前記ｎビットデジタルビデオデータによって形成されるサブフレームを２ｍ−ｎ個表示することによって１フレームの映像を形成し、
（２ｍ−（２ｍ−ｎ−１））通りの表示階調を得ることを特徴とする表示装置。
【請求項７】
複数の画素ＴＦＴがマトリクス状に配置された画素部と、
前記複数の画素ＴＦＴを駆動するソースドライバおよびゲートドライバと、
外部から入力されるアナログビデオデータをｍビットデジタルビデオデータに変換するＡ／Ｄ変換回路と、
前記ｍビットデジタルビデオデータを２ｍ−ｎ個のｎビットデジタルビデオデータに変換する処理回路と（ｍ、ｎは共に２以上の正数、ｍ＞ｎ）、
前記ｎビットデジタルビデオデータをアナログビデオデータに変換し、前記ソースドライバへ出力するＤ／Ａ変換回路と、
を有する表示装置であって、
前記２ｍ−ｎ個のｎビットデジタルビデオデータは、複数の出力パターンからランダムに選択されたパターンによって前記Ｄ／Ａ変換回路へ出力され、
前記ｎビットデジタルビデオデータによって形成されるサブフレームを２ｍ−ｎ個表示することによって１フレームの映像を形成することを特徴とする表示装置。
【請求項８】
複数の画素ＴＦＴがマトリクス状に配置された画素部と、
前記複数の画素ＴＦＴを駆動するソースドライバおよびゲートドライバと、
外部から入力されるアナログビデオデータをｍビットデジタルビデオデータに変換するＡ／Ｄ変換回路と、
前記ｍビットデジタルビデオデータを２ｍ−ｎ個のｎビットデジタルビデオデータに変換する処理回路と（ｍ、ｎは共に２以上の正数、ｍ＞ｎ）、
前記ｎビットデジタルビデオデータをアナログビデオデータに変換し、前記ソースドライバへ出力するＤ／Ａ変換回路と、
を有する表示装置であって、
前記２ｍ−ｎ個のｎビットデジタルビデオデータは、複数の出力パターンからランダムに選択されたパターンによって前記Ｄ／Ａ変換回路へ出力され、
前記ｎビットデジタルビデオデータによって形成されるサブフレームを２ｍ−ｎ個表示することによって１フレームの映像を形成し、
（２ｍ−（２ｍ−ｎ−１））通りの表示階調を得ることを特徴とする表示装置。
【請求項９】
表示媒体として液晶を用いることを特徴とする請求項１乃至８のいずれか一に記載の表示装置。
【請求項１０】
表示媒体としてＥＬを用いることを特徴とする請求項１乃至８のいずれか一に記載の表示装置。
【請求項１１】
請求項１乃至１０のいずれか一に記載の表示装置を有する電子機器。
【請求項１２】
請求項１１に記載の電子機器はフロントプロジェクターであることを特徴とする電子機器。
【請求項１３】
請求項１１に記載の電子機器はリアプロジェクターであることを特徴とする電子機器。
【請求項１４】
請求項１１に記載の電子機器はゴーグル型ディスプレイであることを特徴とする電子機器。
【請求項１５】
請求項１１に記載の電子機器は携帯情報端末であることを特徴とする電子機器。
【請求項１６】
請求項１１に記載の電子機器はノートブック型パーソナルコンピュータであることを特徴とする電子機器。